(57)【要約】【課題】記録媒体に弛みを生じてスキューを取り除きつつ、記録媒体の弛みによるストレスの影響をなくして画像品質の低下を防止し、記録媒体に安定した品質の画像形成を行う一方、部品点数を減らして、コンパクトにする。【解決手段】レジストローラ対３３間で用紙Ｓを挟持して後、レジストセンサ４４の出力信号に基づき、またはレジストローラ対３３を駆動するＣＰＵ５５からの駆動信号に基づき、用紙Ｓの先端が転写位置に到達するまでに、ソレノイド４６をＯＮし、作動棒４８を図中下方に引き込んでアーム５０の一端を引き、アーム５０がスプリングの力に抗して回転軸５１を中心に時計回りに回動し、軸Ｄを押して従動ローラ３８ａを移動して駆動ローラ３８ｂより離し、搬送ローラ対３８による用紙Ｓの挟持を解除する記録媒体挟持解除手段４５を備える。【選択図】　　　　図２
2004123377.tif 000002
【特許請求の範囲】
【請求項１】
搬送部材で挟持して記録媒体を搬送し、レジスト部材に突き当てて後、像担持体の画像にタイミングを合わせて前記レジスト部材を回転し、前記像担持体の画像を記録媒体に転写する転写位置に向けて記録媒体を送り出す、画像形成装置の記録媒体搬送装置において、
記録媒体を前記レジスト部材に突き当てて弛ませて後、前記搬送部材による記録媒体の挟持を解除する記録媒体挟持解除手段を備えることを特徴とする、記録媒体搬送装置。
【請求項２】
前記記録媒体挟持解除手段は、前記レジスト部材で記録媒体を挟持して後、前記搬送部材による記録媒体の挟持を解除することを特徴とする、請求項１に記載の記録媒体搬送装置。
【請求項３】
前記記録媒体挟持解除手段は、前記レジスト部材に対する記録媒体の突き当てタイミングを計るレジストセンサの出力信号に基づき、前記搬送部材による記録媒体の挟持を解除することを特徴とする、請求項１または２に記載の記録媒体搬送装置。
【請求項４】
前記記録媒体挟持解除手段は、前記レジスト部材を回転して記録媒体を送り出す駆動信号に基づき、前記搬送部材による記録媒体の挟持を解除することを特徴とする、請求項１または２に記載の記録媒体搬送装置。
【請求項５】
前記記録媒体挟持解除手段は、記録媒体の先端が前記転写位置に到達するまでに、前記搬送部材による記録媒体の挟持を解除することを特徴とする、請求項１または２に記載の記録媒体搬送装置。
【請求項６】
前記搬送部材の一対は、駆動側部材とそれに押し当てる従動側部材とで構成し、前記記録媒体挟持解除手段は、前記従動側部材を移動して記録媒体の挟持を解除することを特徴とする、請求項１または２に記載の記録媒体搬送装置。
【請求項７】
前記記録媒体挟持解除手段は、複数組の前記搬送部材による記録媒体の挟持を解除することを特徴とする、請求項１または２に記載の記録媒体搬送装置。
【請求項８】
前記記録媒体挟持解除手段は、記録媒体の長さに応じて、記録媒体の挟持を解除する前記搬送部材の組数を変更することを特徴とする、請求項７に記載の記録媒体搬送装置。
【請求項９】
前記搬送部材の従動側部材と、その従動側部材を移動して記録媒体の挟持を解除する前記記録媒体挟持解除手段の駆動手段と、記録媒体を案内するガイド板とを１つの支持部材に設けてユニット化していることを特徴とする、請求項１または２に記載の記録媒体搬送装置。
【請求項１０】
前記記録媒体挟持解除手段で前記搬送部材による記録媒体の挟持を解除して後も、その挟持を解除した前記搬送部材の駆動側部材は、なお記録媒体搬送方向の回転を継続することを特徴とする、請求項１または２に記載の記録媒体搬送装置。
【請求項１１】
請求項１から１０のいずれか１に記載の記録媒体搬送装置を備えることを特徴とする、画像形成装置。
【発明の詳細な説明】
【０００１】
【発明の属する技術分野】
この発明は、複写機やプリンタやファクシミリ、またはそれらの複合機など、用紙、ＯＨＰフィルム、中間転写体等の記録媒体に画像を形成する画像形成装置に関する。および、そのような画像形成装置において、記録媒体を搬送する記録媒体搬送装置に関する。
【０００２】
【従来の技術】
従来の複写機（画像形成装置）の中には、例えば、図４に示すような記録媒体搬送装置を備えるものがあった。
【０００３】
この種の記録媒体搬送装置では、不図示の給紙カセットからの用紙（記録媒体）Ｚを搬送する供給搬送路Ｙに、搬送ローラ対（搬送部材）１、レジストローラ対（レジスト部材）２を備えていた。
【０００４】
そして、用紙Ｚを、不図示の給紙カセットから繰り出して供給搬送路Ｙに入れ、搬送ローラ対１で挟持して用紙Ｚを搬送し、先端をレジストローラ対２に突き当てて後、不図示の像担持体上の画像にタイミングを合わせてレジストローラ対２を回転し、像担持体上の画像を用紙Ｚに転写する転写位置に向けて記録媒体を送り出していた。
【０００５】
ところで、このような複写機では、例えば不図示の給紙カセットにセットする際に、用紙Ｚを傾けてセットした場合、また、図５に示すように、レジストローラ対２に対して搬送ローラ対１が角度α傾いて取り付けられていた場合などには、スキューが発生した。
【０００６】
そこで、従来は、上述したように、レジストローラ対２に用紙Ｚを突き当てて、用紙Ｚに弛みを生じさせることにより、スキューを取り除いていた。
【０００７】
ところが、近年、複写機等の画像形成装置では、コンパクト化が進み、それにより搬送ローラ対１とレジストローラ対２との間隔を十分に保持して供給搬送路Ｙにおいて用紙Ｚに大きな弛みを生じさせるスペースの確保が困難になってきている。
【０００８】
そのため、搬送ローラ対１とレジストローラ対２との間隔を狭くし、用紙Ｚに弛みを生じさせるためのスペースを短くすると、用紙Ｚに大きなストレスが加わり、例えば用紙Ｚの位置が幅方向にずれて転写ズレを生じ、カラーの場合には色ズレが発生し、モノクロの場合には直線の曲がりなどを発生する問題があった。特に、わずかな転写ズレでも画像品質を低下するカラー画像形成装置の場合に、大きな問題となった。
【０００９】
【特許文献１】特開平７−２６１５７２号公報
【特許文献２】特開平７−２６１５７３号公報
ところで、従来の画像形成装置には、例えば特許文献１や特許文献２に記載の記録媒体搬送装置があった。
【００１０】
これらの特許文献１および２に記載の記録媒体搬送装置では、図６に示すように、用紙Ｗを、給紙カセット３ａまたは３ｂから、感光体ドラム（像担持体）Ｕと転写ドラムＶとの間の転写位置Ｔへ送り出す供給搬送路Ｘを備える。その供給搬送路Ｘには、上流から順に、ピックアップローラ４、フィードローラ５とリバースローラ６、複数の搬送ローラ対（搬送部材）７ａ・７ｂ・７ｃ・７ｄ・７ｅ、レジストローラ対（レジスト部材）８、吸着ローラ９を備える。
【００１１】
そして、コピーをとるとき、用紙Ｗを、例えば給紙カセット３ａからピックアップローラ４により蹴り出して後、フィードローラ５とリバースローラ６により１枚ずつ分離して送り出し、その後、複数の搬送ローラ対７ｂ、７ｃ、７ｄおよび７ｅにより供給搬送路Ｘを搬送する。
【００１２】
その後、用紙Ｗの先端を停止中のレジストローラ対８に突き当ててから、感光体ドラムＵの画像にタイミングを合わせてレジストローラ対８を回転し、用紙Ｗを送り出す。それとともに、転写ドラムＶ内に設けた不図示の吸着帯電器と吸着ローラ９の作用により、用紙Ｗを転写ドラムＶに巻きつけつつ転写ドラムＶを回転する。
【００１３】
そして、用紙Ｗの先端が、転写位置Ｔに到達する少し手前で、レジストローラ対８、および搬送ローラ対７ｄ・７ｅに設けた不図示の記録媒体挟持解除手段により記録媒体の挟持を解除してから、さらなる転写ドラムＶの回転により、用紙Ｗを転写位置Ｔへ送り込んでいた。
【００１４】
【発明が解決しようとする課題】
しかし、このように、転写位置Ｔへタイミングを計りつつ用紙Ｗを送り出すレジストローラ対８に記録媒体挟持解除手段を設け、感光体ドラムＵの画像にタイミングを合わせるための用紙搬送基準となるレジストローラ対８を解除すると、解除するたびに基準が変わる可能性があり、記録媒体に安定した品質の画像形成を提供できない問題があった。
【００１５】
また、吸着帯電器や吸着ローラ９を設けるため、部品点数が増えるとともに、それにより大型化する問題があった。
【００１６】
そこで、この発明の第１の目的は、記録媒体に弛みを生じてスキューを取り除きつつ、記録媒体の弛みによるストレスの影響をなくして画像品質の低下を防止し、記録媒体に安定した品質の画像形成を行う一方、部品点数を減らして、コンパクトにすることにある。
【００１７】
この発明の第２の目的は、スキューを取り除いた状態でレジスト部材により挟んで記録媒体をそのまま確実に転写位置まで搬送することにある。
【００１８】
この発明の第３の目的は、正確にタイミングを計って、的確に記録媒体の弛みによるストレスの影響を解消することにある。
【００１９】
この発明の第４の目的は、転写はじめから確実に記録媒体の弛みによるストレスの影響をなくすことにある。
【００２０】
この発明の第５の目的は、簡単な構成で、記録媒体の挟持を解消することにある。
【００２１】
この発明の第６の目的は、転写ズレを生じやすい大きな記録媒体を使用する場合にも、転写ズレをなくして、記録媒体に安定した品質の画像形成を行うことにある。
【００２２】
この発明の第７の目的は、記録媒体の長さに対応して記録媒体の弛みによるストレスの影響を解消し、不必要な記録媒体挟持解除手段の作動をなくすことにより、消費電力を少なくすることにある。
【００２３】
この発明の第８の目的は、構成部品の組付け取り外し時の取り扱いを簡単とすることにある。
【００２４】
この発明の第９の目的は、記録媒体の挟持を解除して後も、搬送部材で記録媒体の搬送を助けることにある。
【００２５】
この発明の第１０の目的は、上記の目的を有する記録媒体搬送装置を備えた画像形成装置を提供することにある。
【００２６】
【課題を解決するための手段】
そのため、請求項１に記載の発明は、上述した第１の目的を達成すべく、
搬送部材で挟持して記録媒体を搬送し、レジスト部材に突き当てて後、像担持体の画像にタイミングを合わせてレジスト部材を回転し、像担持体の画像を記録媒体に転写する転写位置に向けて記録媒体を送り出す、画像形成装置の記録媒体搬送装置において、
記録媒体をレジスト部材に突き当てて弛ませて後、搬送部材による記録媒体の挟持を解除する記録媒体挟持解除手段を備える、ことを特徴とする。
【００２７】
また、請求項２に記載の発明は、上述した第２の目的も達成すべく、請求項１に記載の記録媒体搬送装置において、記録媒体挟持解除手段は、レジスト部材で記録媒体を挟持して後、搬送部材による記録媒体の挟持を解除する、ことを特徴とする。
【００２８】
請求項３に記載の発明は、上述した第３の目的も達成すべく、請求項１または２に記載の記録媒体搬送装置において、記録媒体挟持解除手段は、レジスト部材に対する記録媒体の突き当てタイミングを計るレジストセンサの出力信号に基づき、搬送部材による記録媒体の挟持を解除する、ことを特徴とする。
【００２９】
請求項４に記載の発明は、同じく上述した第３の目的も達成すべく、請求項１または２に記載の記録媒体搬送装置において、記録媒体挟持解除手段は、レジスト部材を回転して記録媒体を送り出す駆動信号に基づき、搬送部材による記録媒体の挟持を解除する、ことを特徴とする。
【００３０】
請求項５に係る発明は、上述した第４の目的も達成すべく、請求項１または２に記載の記録媒体搬送装置において、記録媒体挟持解除手段は、記録媒体の先端が転写位置に到達するまでに、搬送部材による記録媒体の挟持を解除する、ことを特徴とする。
【００３１】
請求項６に係る発明は、上述した第５の目的も達成すべく、請求項１または２に記載の記録媒体搬送装置において、搬送部材の一対は、駆動側部材とそれに押し当てる従動側部材とで構成し、記録媒体挟持解除手段は、従動側部材を移動して記録媒体の挟持を解除する、ことを特徴とする。
【００３２】
請求項７に係る発明は、上述した第６の目的も達成すべく、請求項１または２に記載の記録媒体搬送装置において、記録媒体挟持解除手段は、複数組の搬送部材による記録媒体の挟持を解除する、ことを特徴とする。
【００３３】
請求項８に係る発明は、上述した第７の目的も達成すべく、請求項７に記載の記録媒体搬送装置において、記録媒体挟持解除手段は、記録媒体の長さに応じて、記録媒体の挟持を解除する搬送部材の組数を変更する、ことを特徴とする。
【００３４】
請求項９に係る発明は、上述した第８の目的も達成すべく、請求項１または２に記載の記録媒体搬送装置において、搬送部材の従動側部材と、その従動側部材を移動して記録媒体の挟持を解除する記録媒体挟持解除手段の駆動手段と、記録媒体を案内するガイド板とを１つの支持部材に設けてユニット化している、ことを特徴とする。
【００３５】
請求項１０に係る発明は、上述した第９の目的も達成すべく、請求項１または２に記載の記録媒体搬送装置において、記録媒体挟持解除手段で搬送部材による記録媒体の挟持を解除して後も、その挟持を解除した搬送部材の駆動側部材は、なお記録媒体搬送方向の回転を継続する、ことを特徴とする。
【００３６】
請求項１１に係る発明は、上述した第１０の目的を達成すべく、請求項１から１０のいずれか１に記載の記録媒体搬送装置を備える画像形成装置である、ことを特徴とする。
【００３７】
【発明の実施の形態】
以下、図面を参照しつつ、この発明の実施の形態につき詳述する。
図１には、この発明に係る画像形成装置の一例である電子写真式カラー複写機の概略構成を示す。
【００３８】
図中符号Ａは複写機本体である。複写機本体Ａ内には、記録媒体である用紙Ｓを搬送する記録媒体搬送装置Ｂを設ける。その記録媒体搬送装置Ｂは、後述する供給搬送路Ｐ１、手差し供給路Ｐ２、搬送路Ｐ、および排出搬送路Ｐ３を有する。搬送路Ｐは、図１中右下から左上へと斜めに設ける。
【００３９】
搬送路Ｐ上には、その搬送路Ｐに沿って右下から左上へと、マゼンタ・シアン・イエロ・ブラックの４つの作像手段１０Ｍ・１０Ｃ・１０Ｙ・１０Ｋを順に並べてタンデム型に備える。各作像手段１０は、像担持体ユニット１２Ｍ・１２Ｃ・１２Ｙ・１２Ｋと現像ユニット１３Ｍ・１３Ｃ・１３Ｙ・１３Ｋとで構成し、各々複写機本体Ａに対して着脱自在とする。それぞれの像担持体ユニット１２Ｍ・１２Ｃ・１２Ｙ・１２Ｋには、それぞれドラム状の像担持体１４Ｍ・１４Ｃ・１４Ｙ・１４Ｋを備える。
【００４０】
そのような作像手段１０Ｍ・１０Ｃ・１０Ｙ・１０Ｋ上には、それら作像手段に沿って、書込みユニット１６を斜めに設ける。
【００４１】
他方、作像手段１０Ｍ・１０Ｃ・１０Ｙ・１０Ｋの下には、搬送路Ｐを挟んで、無端ベルト状の記録媒体担持体１８を張り渡す。記録媒体担持体１８は、図示例では、４つの支持ローラ１９に掛け回し、像担持体１４Ｍ・１４Ｃ・１４Ｙ・１４Ｋに接触して一部を搬送路Ｐに沿って設け、不図示の駆動装置により図中反時計まわりに回転搬送可能とする。
【００４２】
記録媒体担持体１８の内側には、各像担持体１４Ｍ・１４Ｃ・１４Ｙ・１４Ｋごとに対応して、それぞれ転写ローラ２０Ｍ・２０Ｃ・２０Ｙ・２０Ｋと転写ブラシ２１Ｍ・２１Ｃ・２１Ｙ・２１Ｋを配置する。
【００４３】
搬送路Ｐに沿って、そのような記録媒体担持体１８の上流位置にはレジストローラ対（レジスト部材）３３を、下流位置には定着ユニット２４を設ける。定着ユニット２４は、無端ベルトである定着ベルト２５に加圧ローラ２６を押し当て、出口に排出ローラ対２７を備えて構成する。
【００４４】
定着ユニット２４の下流位置には、搬送路Ｐから続く排出搬送路Ｐ３を形成し、その先に、複写機本体Ａ上の排出スタック部３０へと用紙Ｓを排出する排出ローラ対３１を設ける。
【００４５】
一方、記録媒体担持体１８の下には、給紙カセット３４を上下２段に備える。給紙カセット３４には、各々サイズの異なる用紙Ｓを積載して収納する。
【００４６】
給紙カセット３４の図中右側には、前述した搬送路Ｐのレジストローラ対３３へと導く供給搬送路Ｐ１を設ける。
【００４７】
その供給搬送路Ｐ１には、上流から順に、給紙カセット３４から用紙を蹴り出すピックアップローラ３５と、用紙Ｓを１枚ずつ分離して給紙するフィードローラ３６・バックローラ３７と、用紙Ｓを挟持しつつ、それを搬送する複数の搬送ローラ対（搬送部材）３８とを設ける。
【００４８】
また、複写機本体Ａの図中右側には、手差し部４３を設け、そこに開閉自在に手差しトレイ３９を取り付ける。手差しトレイ３９の図中左側には、上述した搬送路Ｐのレジストローラ対３３へと導く手差し供給路Ｐ２を設ける。
【００４９】
その手差し供給路Ｐ２には、上流から順に、手差しトレイ３９上の用紙を蹴り出すピックアップ４０と、用紙Ｓを１枚ずつ分離して給紙するフィードローラ４１・バックローラ４２とを設ける。
【００５０】
レジストローラ対３３の手前には、搬送ローラ対３８によって搬送されてきた用紙Ｓの先端を検知するレジストセンサ４４を備える。
【００５１】
さて、いま、この複写機を用いて用紙Ｓにコピーをとるときは、不図示のスタートスイッチを押すと、それによりピックアップローラ３５、フィードローラ３６、およびバックローラ３７を選択的に駆動し、１の給紙カセット３４内の用紙Ｓを１枚ずつ分離して繰り出すとともに、供給搬送路Ｐ１に入れ、搬送ローラ対３８で挟持して用紙Ｓを搬送し、レジストセンサ４４で突き当てタイミングを計ってレジストローラ対３３に突き当てて弛ませて止める。
【００５２】
または、手差し部４３のピックアップローラ４０、フィードローラ４１、およびバックローラ４２を駆動し、手差しトレイ３９上の用紙Ｓを１枚ずつ分離して繰り出すとともに、手差し給紙路Ｐ２に入れてレジストセンサ４４で突き当てタイミングを計り、レジストローラ対３３に突き当てて弛ませて止める。
【００５３】
一方、各作像手段１０Ｍ・１０Ｃ・１０Ｙ・１０Ｋでは、個々の像担持体１４Ｍ・１４Ｃ・１４Ｙ・１４Ｋを回転して所望の像担持体上にそれぞれマゼンタ・シアン・イエロ・ブラックの単色トナー画像を形成する。同時に、不図示の駆動モータで支持ローラ１９の１つを回転駆動して他の支持ローラ１９を従動回転し、記録媒体担持体１８を回転搬送する。
【００５４】
そして、像担持体の画像にタイミングを合わせてレジストローラ対３３を回転し、用紙Ｓを搬送路Ｐに入れて、作像手段１０Ｍ・１０Ｃ・１０Ｙ・１０Ｋと記録媒体担持体１８との間の転写位置Ｅ、Ｆ、Ｇ、およびＨに向けて順に送り込み、記録媒体担持体１８の回転搬送によりその用紙Ｓを搬送する。その搬送とともに、所望の像担持体１４Ｍ・１４Ｃ・１４Ｙ・１４Ｋ上の単色トナー画像を転写ブラシ２１Ｍ・２１Ｃ・２１Ｙ・２１Ｋにより転写位置Ｅ、Ｆ、Ｇ、およびＨで転写し、該用紙Ｓ上に合成フルカラー画像、２色画像、モノクロ画像などを形成する。
【００５５】
画像転写後の用紙Ｓは、定着ユニット２４へと送り込み、転写画像を定着して後、排出搬送路Ｐ３へと導き、排出ローラ対３１で排出して排出スタック部３０上に頁順にスタックする。
【００５６】
図２には、搬送ローラ対３８間での用紙Ｓの挟持を解除する記録媒体挟持解除手段４５を示す。
【００５７】
記録媒体挟持解除手段４５には、ソレノイド（駆動手段）４６とアーム５０とを備える。ソレノイド４６は、複写機本体Ａのブラケット（支持部材）４７に取り付けられている。また、ソレノイド４６の作動棒４８には、長穴４９が設けられている。
【００５８】
その長穴４９には、アーム５０の一端に設けたピン５０ａを入れて、作動棒４８とアーム５０とを連結する。そのアーム５０は、他端を図中上方へ曲げて、略ヘ字形状をしている。その曲げ位置を貫通する回転軸５１をブラケット４７に取り付けて、回転軸５１を中心に回動自在に設けられている。
【００５９】
そして、１つのブラケット４７に、搬送ローラ対３８の従動ローラ（従動側部材）３８ａと、その従動ローラ対３８ａを移動して用紙Ｓの挟持を解除する記録媒体挟持解除手段４５のソレノイド４６と、用紙Ｓを案内するガイド板４７ａとを設け、ユニット化してそれら各構成部品の組付け取り外し時の取り扱いを簡単とする。図示例では、ガイド板４７ａは、ブラケット４７の一部を折り曲げてブラケット４７自身で一体に形成している。
【００６０】
そのようなユニットのアーム５０の他端には、搬送ローラ対３８の従動ローラ３８ａの軸Ｄを隣接して配置する。
【００６１】
搬送ローラ対３８は、従動ローラ３８ａと、その従動ローラ３８ａに対して供給搬送路Ｐ１を挟んで設けられるとともに、不図示の駆動源からの駆動力が伝達される駆動ローラ（駆動側部材）３８ｂとで構成する。
【００６２】
従動ローラ３８ａは、不図示のスプリングにより、駆動ローラ３８ｂに接するように付勢されている。したがって、通常、従動ローラ３８ａは、図２に示すように、駆動ローラ３８ｂに接している。
【００６３】
そして、コピーをとるとき、用紙Ｓが搬送されてくると、従動ローラ３８ａと駆動ローラ３８ｂとで用紙Ｓを挟持しつつ、駆動ローラ３８ｂの回転により、用紙Ｓをさらに下流に搬送し、レジストローラ対３３間に突き当てて用紙Ｓを弛ませ、それによりスキューを取り除いてから、駆動ローラ３８ｂの回転を止める。
【００６４】
その後、上述したように、像担持体１４Ｍ、１４Ｃ、１４Ｙ、１４Ｋ上の画像にタイミングを合わせて、レジストローラ対３３および搬送ローラ対３８をともに回転し、レジストローラ対３３間で用紙Ｓを挟持しつつ、それぞれの転写位置Ｅ、Ｆ、Ｇ、およびＨに向けて用紙Ｓを送り出す。
【００６５】
このとき、レジストローラ対３３間で用紙Ｓを挟持して後、レジストセンサ４４の出力信号に基づき、またはレジストローラ対３３を駆動するＣＰＵ５５からの駆動信号に基づき、用紙Ｓの先端が転写位置Ｅに到達するまでに、記録媒体挟持解除手段４５のソレノイド４６をＯＮし、作動棒４８を図中下方に引き込む。
【００６６】
それにより、アーム５０の一端を引くと、アーム５０がスプリングの力に抗しつつ回転軸５１を中心に時計回りに回動し、アーム５０の他端が従動ローラ３８ａの軸Ｄを押し、図３に示すように従動ローラ３８ａを移動して駆動ローラ３８ｂより離し、記録媒体挟持解除手段４５で搬送ローラ対３８による用紙Ｓの挟持を解除する。挟持解除は、従動ローラ３８ａを大きく退避させる必要はなく、用紙Ｓが自身のこしで弛みを解消し得る程度に軽く挟持を解除すればよい。
【００６７】
なお、このとき、記録媒体挟持解除手段４５で、搬送ローラ対３８間での用紙の挟持を解除して後も、その挟持を解除した搬送ローラ対３８の駆動ローラ３８ｂの回転を、なお継続するとよい。
【００６８】
このようにすると、駆動ローラ３８ｂに用紙Ｓが接触した場合、その回転により下流に搬送するので、用紙Ｓの搬送を助けることができる。
【００６９】
その後、用紙Ｓの後端が、搬送ローラ対３８間を通過した後、ソレノイド４６をＯＦＦし、作動棒４８を図中上方に押し出し、それにより、アーム５０の一端を押し、それとともに、スプリングの力によって従動ローラ３８ａが付勢され、アーム５０が回転軸５１を中心に反時計回りに回動するので、図２に示すように、従動ローラ３８ａは、駆動ローラ３８ｂに接し、通常の状態に戻る。
【００７０】
これにより、用紙Ｓに弛みを生じてスキューを取り除いてから、記録媒体挟持解除手段４５で搬送ローラ対３８による用紙Ｓの挟持を解除して用紙Ｓの弛みによるストレスの影響をなくし、転写ズレをなくして画像品質の低下を防止し、用紙Ｓに安定した品質の画像形成を行うことができる。
【００７１】
加えて、記録媒体挟持解除手段４５を付加するだけの簡単な構成で、用紙Ｓに安定した品質の画像形成を行いつつ搬送ローラ対３８とレジストローラ対３３との間隔を短くし、部品点数を減らし、コンパクトにできる。
【００７２】
なお、例えば給紙カセット３４に、不図示の用紙サイズ検出手段を設け、その給紙カセット３４に、Ａ３サイズやＢ４サイズなどの大きな用紙Ｓを収納した場合には、用紙サイズ検出手段の出力信号に基づき、レジストローラ対３３間で用紙Ｓを挟持したときに、用紙Ｓを挟持する複数組の搬送ローラ対３８間での挟持を解除するようにしてもよい。
【００７３】
このようにすれば、大きな用紙Ｓにコピーする場合でも、それに対応して、弛みをなくすための長さを確保するので、用紙Ｓに大きなストレスが加わることを防止し、それにより転写位置Ｅで用紙Ｓが転写ズレを生じることを防止するので、用紙Ｓに安定した品質の画像形成を行うことができる。
【００７４】
なお、前述した用紙サイズ検出手段により検知した用紙Ｓの長さに応じて、用紙Ｓの挟持を解除する搬送ローラ対３８の組数を変更してもよい。
【００７５】
このようにすれば、用紙Ｓの長さに対応して用紙Ｓの弛みによるストレスの影響を解消するとともに、不必要な記録媒体挟持解除手段４５の作動をなくすので、消費電力を少なくできる。
【００７６】
なお、上述した例では、搬送部材の駆動側部材および従動側部材がともにローラである場合を示したが、ローラに限らず、駆動側部材または従動側部材のいずれか一方または双方をベルトとしてもよい。
【００７７】
また、上述した例では、像担持体１４Ｍ・１４Ｃ・１４Ｙ・１４Ｋに形成した画像を直接転写して用紙Ｓに画像を形成する画像形成装置に適用した場合について説明した。しかし、この発明は、像担持体の画像をいったん中間転写体に転写して後、その中間転写体の画像を転写して用紙やＯＨＰフィルム等に画像を形成するタイプの画像形成装置にも、同様に適用することができる。
【００７８】
【発明の効果】
以上説明したとおり、請求項１に記載の発明によれば、記録媒体をレジスト部材に突き当てて弛ませて後、搬送部材による記録媒体の挟持を解除する記録媒体挟持解除手段を備えるので、記録媒体に弛みを生じてスキューを取り除いてから、記録媒体挟持解除手段で搬送部材による記録媒体の挟持を解除して記録媒体の弛みによるストレスの影響をなくし、転写ズレをなくしてカラーの場合には色ズレをなくし、モノクロの場合には直線の曲がりなどをなくして画像品質の低下を防止し、記録媒体に安定した品質の画像形成を行うことができる。
【００７９】
加えて、記録媒体挟持解除手段を付加するだけの簡単な構成で、記録媒体に安定した品質の画像形成を行いつつ搬送ローラ対とレジストローラ対との間隔を短くし、部品点数を減らし、コンパクト化することができる。
【００８０】
請求項２に記載の発明によれば、記録媒体挟持解除手段は、レジスト部材で記録媒体を挟持して後、搬送部材による記録媒体の挟持を解除するので、スキューを取り除いた状態でレジスト部材により挟んで記録媒体をそのまま確実に転写位置まで搬送することができる。
【００８１】
請求項３に記載の発明によれば、記録媒体挟持解除手段は、レジスト部材に対する記録媒体の突き当てタイミングを計るレジストセンサの出力信号に基づき、搬送部材による記録媒体の挟持を解除するので、レジストセンサの出力信号で正確にタイミングを計って、的確に記録媒体の弛みによるストレスの影響を解消することができる。
【００８２】
請求項４に記載の発明によれば、記録媒体挟持解除手段は、レジスト部材を回転して記録媒体を送り出す駆動信号に基づき、搬送部材による記録媒体の挟持を解除するので、レジスト部材の駆動信号で正確にタイミングを計って、的確に記録媒体の弛みによるストレスの影響を解消することができる。
【００８３】
請求項５に記載の発明によれば、記録媒体挟持解除手段は、記録媒体の先端が転写位置に到達するまでに、搬送部材による記録媒体の挟持を解除するので、転写のはじめから確実に記録媒体の弛みによるストレスの影響をなくすことができる。
【００８４】
請求項６に記載の発明によれば、搬送部材の一対は、駆動側部材とそれに押し当てる従動側部材とで構成し、記録媒体挟持解除手段は、従動側部材を移動して記録媒体の挟持を解除するので、簡単な構成で、記録媒体の挟持を解消することができる。
【００８５】
請求項７に記載の発明によれば、記録媒体挟持解除手段は、複数組の搬送部材による記録媒体の挟持を解除するので、転写ズレを生じやすい大きな記録媒体を使用する場合にも、転写ズレをなくして、記録媒体に安定した品質の画像を形成することができる。
【００８６】
請求項８に記載の発明によれば、記録媒体挟持解除手段は、記録媒体の長さに応じて、記録媒体の挟持を解除する搬送部材の組数を変更するので、記録媒体の長さに対応して記録媒体の弛みによるストレスの影響を解消するとともに、不必要な記録媒体挟持解除手段の作動をなくすことにより、消費電力を少なくすることができる。加えて、そのように、不必要な記録媒体挟持解除手段の作動をなくすので、作動時の音を軽減することもできる利点もある。
【００８７】
請求項９に記載の発明によれば、搬送部材の従動側部材と、その従動側部材を移動して記録媒体の挟持を解除する記録媒体挟持解除手段の駆動手段と、記録媒体を案内するガイド板とを１つのブラケットに設けてユニット化しているので、それらの構成部品の組付け取り外し時の取り扱いを簡単とすることができる。
【００８８】
請求項１０に記載の発明によれば、記録媒体挟持解除手段で搬送部材による記録媒体の挟持を解除して後も、その挟持を解除した搬送部材の駆動側部材は、なお記録媒体搬送方向の回転を継続するので、記録媒体の挟持を解除して後も、搬送部材で記録媒体の搬送を助けることができる。
【００８９】
請求項１１に記載の発明によれば、請求項１から１０のいずれか１に記載の記録媒体搬送装置を備えるので、上記効果を達成した記録媒体搬送装置を備えた画像形成装置を提供することができる。
【図面の簡単な説明】
【図１】この発明に係る画像形成装置の一例である電子写真式カラー複写機の全体概略構成図である。
【図２】その画像形成装置に備える記録媒体搬送装置の一部を示し、記録媒体挟持解除手段の通常時の説明図である。
【図３】その記録媒体挟持解除手段により、搬送ローラ対間での記録媒体の挟持を解除した時の説明図である。
【図４】従来の画像形成装置における記録媒体搬送装置の部分概略構成図である。
【図５】その記録媒体搬送装置において、スキューが発生することの説明図である。
【図６】従来の画像形成装置における他の記録媒体搬送装置の部分概略構成図である。
【符号の説明】
１０　　複写機（画像形成装置）
１４Ｍ、１４Ｃ、１４Ｙ、１４Ｋ　　像担持体
３３　　レジストローラ対（レジスト部材）
３８　　搬送ローラ対（搬送部材）
３８ａ　従動ローラ（従動側部材）
３８ｂ　駆動ローラ（駆動側部材）
４４　　レジストセンサ
４５　　記録媒体挟持解除手段
４６　　ソレノイド（駆動手段）
４７　　ブラケット（支持部材）
４７ａ　ガイド板
Ｂ　　記録媒体搬送装置
Ｅ、Ｆ、Ｇ、Ｈ　　転写位置
Ｓ　　用紙（記録媒体）
【図１】
2004123377.tif 000003
【図２】
2004123377.tif 000004
【図３】
2004123377.tif 000005
【図４】
2004123377.tif 000006
【図５】
2004123377.tif 000007
【図６】
2004123377.tif 000008